(57)【要約】【課題】  生理時の経血量の多い日、激しい運動時、長時間の着座学習や着座労働及び就寝時において、生理用ナプキン等を安定的に保持する密着性と経血漏れ防止に優れた生理用ショーツを提供。【解決手段】  生理用ナプキン等を併用する生理用ショーツ１において、後身頃縫合部８、前身頃固定部９、およびこれらの両者間に位置して細帯開放口１９を有する跨ぎ部１０からなる一枚で平坦なサポートショーツ２を、前記生理用ショーツ１の後身頃腰帯部７のみに固定的に取り付けて、前記生理用ショーツ１と前記サポートショーツ２を一体的に着用する。前記サポートショーツ２の跨ぎ部の細帯区域１５において、会陰周辺に当接する部位から尿道口周辺に当接する部位にかけて前記細帯開放口１９が設けられ、ナプキン等の安定的保持と経血漏れを防止する。前記前身頃固定部の接合帯２０によりナプキンの押圧感を調整できるため、ナプキン等の密着性と経血横漏れ防止に効果がある生理用ショーツの提供。【選択図】図４
2022000201.tif 000002
【特許請求の範囲】
【請求項１】
前身頃３と、後身頃４と、及びこれら両者間に位置する股布部５とを有する生理用ショーツ１において、後身頃縫合部８と、前身頃固定部９と、及びこれら両者間に位置する跨ぎ部１０からなる一枚で平坦なサポートショーツ２が、その前記後身頃縫合部８で前記生理用ショーツ１の後身頃４の外側表面に接合されて設けられていることを特徴とする生理用ショーツ。
【請求項２】
前記生理用ショーツ１の股布部５に当接する前記サポートショーツ２の跨ぎ部１０の細帯区域１５において、前記細帯区域１５の中央部分を含む部分が開放されている細帯開放口１９が設けられた請求項１記載の生理用ショーツ。
【請求項３】
前記サポートショーツ２の前身頃固定部９に、面ファスナー２５を具備した１本以上の接合帯２０が設けられ、前記生理用ショーツ１の前身頃腰帯部６の外側表面に、１本以上のベルト通し２４が設けられた請求項１または２記載の生理用ショーツ。
【請求項４】
前記サポートショーツ２の後身頃接合部Ａ１１の縫合面に、剥離テープまたは再剥離テープが設けられた請求項１ないし３のいずれかに記載の生理用ショーツ。
【発明の詳細な説明】
【技術分野】
【０００１】  本発明は、生理用ナプキン等の吸収性物品が固定されて着用される生理用ショーツに係り、特に吸収性物品の性器への密着性を調整出来ると共に、体液の横漏れ防止効果に優れた生理用ショーツに関する。
【背景技術】
【０００２】  これまでは、生理用ナプキン等を装着時に、これらを安定的に保持し経血の漏れやずれを防止する構成として、重ね穿きのアンダーショーツ（特開２００７−１３５９１９号公報）（特開２０１５−４７３３５号公報）、内部クロッチ部を工夫したショーツ（特開２０１１−５０６８２号公報）（特開２００２−３４５８９１号公報）、立体片が設けられた生理用ショーツ（特開２００３−１７１８０２号公報）等が開示されている。
さらに、より吸収性物品の密着性を高める工夫をした生理用ショーツとして、（特開２００１−２４５９２９号公報）（特開２００１−２７６１３０号公報）、及び（特開２００３−３２８２０１号公報）が開示されている。【０００３】  （特開２００１−２４５９２９号公報）で開示された生理用ショーツは前身頃、股下部及び後身頃に渡って伸縮性素材で形成された吊上げ部材が設けられ、その両側部に延出布が設けられている。これにより生理用ナプキンを凸条にして身体への密着性をたかめている。これは着用性、美観性に優れているものの、しかしながら使用時には以下の問題や課題が生じる。つまり、生理用ナプキンを常時安定的に保持できないので引き当て位置がずれる、吊上げ部材の伸縮性強度により臀裂に食いこむ事がある、経血の横漏れの可能性が高い、経血量の多い日や運動時、就寝時に対応できないため不安感が大きい。【０００４】  （特開２００３−３２８２０１号公報）で開示された吸収性物品の装着に適した外装体は、ショーツ本体の肌側面にクロッチ部先端から後身頃に至る縦方向に弾性伸縮機能のあるサポート帯が設けられ、さらに吸収性物品から漏れた排泄液を止める為の補助材が移動可能な形態で設けられている。また、（特開２００１−７６１３０号公報）では、ショーツ本体の内側に前身頃から後身頃に向かって延びるサポート帯が設けられた生理用ショーツが開示されている。この生理用ショーツは前記サポート帯が弾性伸縮機能を発揮するもので、このサポート帯に取り付けられた生理用ナプキンが前記サポート帯の弾力性により、補助材と共に性器に密着させられて経血の漏れを防止する構成となっている。【０００５】  これらは確かに吸収性物品の性器への密着性を調整することが出来て、体液の漏れ防止効果を高めるものの、日常生活で頻繁に使用される実用品としてはあまりにも煩雑で使用者からみても現実的には以下の大きな難点がある。
（イ）補助部材やサポート帯等により生理用ナプキン等の吸収性物品を着用者の股間部へ確実に密着させる効果はあるものの、デリケートゾーンにおける良好な着用感が損なわれる。
（ロ）特に（特開２００３−３２８２０１号公報）の外装体ではクロッチ部、前方縫合部、後方縫合部、サポート帯、フック、補助部材、ループ、挿入腕、装着布、挿通部、ナプキン装着布など構成部位がきわめて複雑である。
（ハ）製造面も複雑であり、流通単価は一般のショーツに比べ高価になるため、費用面からも日常生活で頻繁に使えない。
（ニ）繰り返し使用するには洗浄が不便で手間がかかる。
（ホ）サポート帯、補助部材等の取り替えが面倒である。
（ヘ）生理用ナプキン等の密着性を高めるだけであれば、重ね穿きショーツ使用、ガードル併用、弾性伸縮機能の高いショーツ使用等で対応可能である。
【先行技術文献】
【特許文献】
【０００６】
【特許文献１】特開２００１−２４５９２９号公報
【特許文献２】特開２００１−２７６１３０号公報
【特許文献３】特開２００２−３４５８９１号公報
【特許文献４】特開２００３−１７１８０２号公報
【特許文献５】特開２００３−３２８２０１号公報
【特許文献６】特開２００７−１３５９１９号公報
【特許文献７】特開２０１１−５０６８２号公報
【特許文献８】特開２０１５−４７３３５号公報
【発明の概要】
【発明が解決しようとする課題】
【０００７】  これらの背景技術を踏まえると、現状の課題や要望は以下の通りである。
つまり、
（イ）生理用ナプキン等を確実に安定的に保持する密着性。
（ロ）重ね穿きをしなくても同様の効果を持つ簡便性。
（ハ）ガードルと生理用ショーツの両方の機能を持つ安心性。
（ニ）着用時に外観的にも不安感のない着用方法を採れるファッション性。
（ホ）状況により生理用ショーツ単体使用ができる着脱の容易性。
以上の性能を発揮することができる生理用ショーツの提供が課題であり、これらの性能を持つ生理用ショーツであれば、需要者が持つ以下の要望や状況に対応できる。
（１）生理期間中でやや経血量が多い日等の運動時は、生理用ショーツを穿いたり重ね穿きをしても、経血の伝え漏れの不安感がある。
（２）特に経血量が多い日の就寝時は、頻繁に生理用ナプキンを予防的に交換したり、ガードル等の長時間の重ね穿きによる下腹部の圧迫感で快適な睡眠が得られない。
（３）長時間の着座学習、着座労働時は、椅子を立った瞬間に血流が一気に下降してくる感覚があり、対応が間に合わない状況がある。
（４）大型ナプキンの重ね使用時は、行動中に違和感を覚え、ナプキンライナーがアウターに響きやすい。【０００８】  本発明は、上記のような問題点を解決するためになされたものであり、運動時でもナプキン等の吸収性物品の安定的保持ができる密着性を有し、一つの一体的生理用ショーツとして着脱が楽であり、且つ外観的な不安感を解消できて経血量の多い日にも安心して着用できる生理用ショーツを提供することを目的としている。
【課題を解決するための手段】
【０００９】  本発明は、生理用ナプキン等の体液を吸収する吸収性物品を装着して使用する生理用ショーツ１において、後身頃縫合部８と前身頃固定部９、及びこれらの両者間に位置する跨ぎ部１０からなる一枚の平坦なサポートショーツ２が、前記生理用ショーツ１の後身頃腰帯部７に前記サポートショーツの後身頃縫合部Ａ１１のみで固定的に取り付けられて、前記生理用ショーツ１と前記サポートショーツ２の一体使用を可能とするもので、前記サポートショーツの跨ぎ部１０の細帯区域１５の中央部分に空洞である細帯開放口１９が設けられ、前記サポートショーツの前身頃固定部９に接合帯２０が設けられていることを特徴とするものである。【００１０】  前記サポートショーツの後身頃縫合部８の横幅は、前記生理用ショーツの後身頃腰帯部７の横幅（胴回りの半分）の３／４以下で設けられていることが好ましい。そして、着用者からみて頭側を上方向として、前記後身頃縫合部８の上下幅（縦幅）は、前記生理用ショーツ１の上下幅の２倍に設定されて、後身頃縫合部Ａ１１と後身頃縫合部Ｂ１２の２つに均等分割されている。【００１１】  着用者からみて頭側を上方向として、前記サポートショーツの前身頃固定部９を下側にした状態で前記サポートショーツの後身頃縫合部Ａ１１部分のみを、前記生理用ショーツの後身頃腰帯部７に固定的に取り付けることにより、前記サポートショーツ２の２つの使用方法が可能となる。
つまり、前記サポートショーツ２が前記生理用ショーツ１の外側表面で股下を跨いで接合帯２０で結合して一体使用する方法と、前記生理用ショーツ１の肌側面で股下を跨いで接合帯２０で結合して一体使用する方法である。【００１２】  前記生理用ショーツ１と前記サポートショーツ２の一体使用により、生理用ナプキン等の吸収性物品の安定的保持と密着性が飛躍的に向上し、運動時や睡眠時及び経血量の多い日においても経血漏れの不安感が解消できる。
【図面の簡単な説明】
【００１３】
【図１】  生理用ショーツを示すものであり、（Ａ）は正面図、（Ｂ）は背面図、（Ｃ）は正面裏側から視た説明図。
【図２】  サポートショーツの平面図。
【図３】  サポートショーツの後身頃縫合部Ａを生理用ショーツの後身頃腰帯部に取り付ける部分の拡大説明図。
【図４】  生理用ショーツにサポートショーツを取り付けた状態の背面図。
【図５】  生理用ショーツにサポートショーツを取り付けて、外側表面で前身頃に回した状態の正面図。
【図６】  生理用ショーツにサポートショーツを取り付けて、肌側面で前身頃に回した状態の参考透視図。
【図７】  生理用ショーツにサポートショーツを取り付けて、股布部から前身頃にかけて示す参考部分展開図。
【発明を実施するための形態】
【００１４】  まず、図１に示す生理用ショーツ１は、前身頃３、後身頃４、及び両者間に位置する股布部５で構成され、前記前身頃３と前記後身頃４ともに胴回り上部に前身頃腰帯部６、後身頃腰帯部７を有し、前記生理用ショーツの前身頃腰帯部６の二箇所にベルト通し２４が設けられている。
図１、図２、図４において、Ｙ方向を縦方向、これに直交するＸ方向を横方向として、横方向の中心で縦方向に伸延する中央線を０−０として説明をする。
【００１５】  図２を参照して説明する。
図２は、後身頃縫合部８、前身頃固定部９、及びこれらの両者間に位置する跨ぎ部１０からなる一枚の平坦なサポートショーツ２の平面図である。図面においてＸ方向を横方向、Ｙ方向を縦方向として、横幅等の説明をする。
前記後身頃縫合部８の横幅は前記生理用ショーツ１の後身頃腰帯部７の横幅の３／４以下とし、後身頃縫合部８の縦幅は前記生理用ショーツ１の後身頃腰帯部７の縦幅の２倍で設けられ、この後身頃縫合部８は上下に縦幅の１／２ずつ均等割りされ、上部をＡ１１、下部をＢ１２として構成されている。前記後身頃縫合部のＡ１１のみが境界線２６で二つ折りされて、前記生理用ショーツ１の後身頃腰帯部７に縫合されて、固定的に取り付けられて前記生理用ショーツ１と前記サポートショーツ２が一体使用されるものである。
【００１６】  図２に沿って、前記サポートショーツ２の跨ぎ部１０につき説明する。
前記跨ぎ部１０は、お尻まわり区域１３、持上げ区域１４、及びこれらの両者間に位置する細帯区域１５で構成され、前記お尻まわり区域１３は前記サポートショーツの後身頃縫合部８の左右両端から前記細帯区域１５に向けて、横幅は徐々に曲線的に細く形成されている。
【００１７】  図２に沿って、前記跨ぎ部１０の細帯区域１５につき説明する。
細帯区域１５の縦幅は、前記生理用ショーツ１の股布部後端１６から股布部前端１７に至るまでの前記サポートショーツ２が当接する部分と同じ長さ、またはそれ以上の縦幅設定が好ましい。つまり、前記股布部後端１６から前端１７までの長さ以上の縦幅で設定が好ましく、本案の前記跨ぎ部の細帯区域１５は、同一の縦幅で設定されている。細帯区域の開始位置１８の横幅は、前記股布部後端１６の横幅の３／４以内の幅とし、最小でも５センチ以上の幅を確保して設定され、前記細帯区域１５の形状は平面視で細長い長方形で良い。ただし臀裂の跨ぎを円滑にする形状を採るために、肛門周辺に当たる部位が左右から緩やかな曲線で削られてやや細くなっている形状が好ましい。そして前記細帯区域１５は、やや緩い弾力性素材で構成されることが好ましい。
【００１８】  前記サポートショーツ２を前記生理用ショーツ１に固定的に取り付けて着用した場合、前記サポートショーツの細帯区域１５が、前記生理用ショーツ１及び併用される生理用ナプキン等を共々に押圧することにより、生理用ナプキン等を安定的に保持し経血の横漏れを確実に防止する機能を発揮することが出来る。
前記細帯区域１５に、細帯区域の中央部分を含む部分が空洞で開放された細帯開放口１９が設けられている。これは細帯区域１５全体で生理用ナプキンに強く圧力を与えることを防ぐ目的を持つ。具体的には、細帯開放口１９の部分では生理用ナプキンに与える圧力を弱く、その外縁側ではその圧力を強くすることが特徴となる。
つまり、細帯区域１５の中央部分を含む部分よりも、細帯区域１５の外縁側の部分の方が肌に向かって与える圧力が強くなり、経血伝い漏れの防止力を向上させる効果を持つ。
【００１９】  前記細帯開放口１９は、図２の前記サポートショーツ２の中央線（０−０）に沿って、細帯区域１５の縦幅の３／４以内の部分に設けられる。横幅は、デリケートゾーンに圧迫感や違和感を少なくするためにできるだけ広く設定することが好ましく、前記細帯区域１５の横幅の６５％〜７０％が良い。前記細帯開放口１９のその形状は細長い長方形でも良く特に限定はないが、生理用ナプキンの安定感や着用感の観点からは、平面視での流線型の形状が特に好ましい。
【００２０】  図２に示す前記跨ぎ部１０の持上げ区域１４は、隣接する前記細帯区域１５の終止位置２１からＹ方向の下方に向けて扇子状に広がり、前記持上げ区域の終止位置２２の横幅は前記生理用ショーツ１の前身頃腰帯部６の胴回り横幅の１／２以下が好ましい。
この持上げ区域１４の縦幅は、前記生理用ショーツの股布部５の縦幅等と相対的に決まるので以下の仕様で説明する。図２で示すＨ１は、前記股布部５の最下端Ｏｙから前記サポートショーツの後身頃縫合部ＡとＢの境界線２６までの縦幅です。そしてこのＨ１は、図１で示す前記生理用ショーツ１のＨ１の縦幅と同一である。図２で示すＨ２は、（前記後身頃縫合部Ｂ１２の縦幅＋３センチ）の縦幅である。つまり、（Ｈ１の縦幅−Ｈ２の縦幅＝Ｈ３の縦幅）となる。そこで、図２で示すＨ３が、前記股布部５の最下端Ｏｙから縦方向下方の前記持上げ区域の終止位置２２までの縦幅となります。具体的には、腹面側で前記生理用ショーツの前身頃腰帯部６の手前３センチの箇所から、前記サポートショーツの前身頃固定部の接合帯２０が始まることにより、前記生理ショーツ１全体に対する引き締め度合を弾力的に調整することが可能になります。
【００２１】  図２に示すサポートショーツ２の前身頃固定部９は、前記跨ぎ部持上げ区域１４から隣接して設けられた二本の接合帯２０で構成され、縦の長さが８センチ以上で設定されれば、前記生理用ショーツ１に設けられた二本のベルト通し２４をくぐって折り返し、前記接合帯２０に設けられた面ファスナー２５で前記サポートショーツ２を安定的に固定することができる。前記接合帯２０の横幅は２センチとし、前記接合帯２０を設ける位置は左右両端が好ましい。そしてこの接合帯２０は前記の帯状にかえて、細くて丸い紐状で設けられても良い。紐状の場合は、外観を考慮して蝶々結び等ができるように、長さは１５センチ以上で設定が好ましい。
【００２２】  次に、図３を参照して、前記サポートショーツ２の後身頃縫合部Ａ１１とＢ１２について縫合の仕様を詳しく説明する。前記後身頃縫合部Ａ１１とＢ１２の縦幅はそれぞれ前記生理用ショーツの後身頃腰帯部７の縦幅と同一で設けられている。前記後身頃縫合部Ａ１１を境界線２６に沿って向こう側に折り曲げた状態で、前記後身頃縫合部Ａ１１を前記生理用ショーツ１の後身頃腰帯部７に縫合して固定的に取り付けられる。
このように縫合された状態であれば、以下の二つの使用方法が可能となる。まず第一は、この状態のまま前記サポートショーツ２全体を前記生理用ショーツ１の表面側の股下を跨がせて、前記サポートショーツ２の前身頃固定部９で接合して着用する方法。第二は、前記後身頃縫合部Ｂ１２以下の前記サポートショーツ２全体を、前記生理用ショーツ１の肌側面に折り返して股下を跨いで、生理用ナプキン等を固定させて押圧する状態で前記前身頃固定部９で接合して着用する方法である。
【００２３】  図４は、前記サポートショーツ２を前記生理用ショーツ１の後身頃腰帯部７の外側表面に取り付けた状態の背面側平面図である。
まず着用者は、この状態で穿き込んでから前記サポートショーツ２全体を、前記生理用ショーツ１の外側表面に沿って股下を跨いで前記生理用ショーツの前身頃腰帯部６で接合させて、一体使用する方法である。
そして、前記サポートショーツの後身頃縫合部Ａ１１と前記生理用ショーツの後身頃腰帯部７を縫合する仕様は、図３で部分的に示している。
【００２４】  図５は、生理用ショーツ１の外側表面の股下を跨いで、縫合された前記サポートショーツ２を着用する時の正面図である。この場合、着用者の外観面での不安感を解消するためには、前記生理用ショーツ１と前記サポートショーツ２の色彩や柄等を合わすことでファッション性高めて見た目を美しくする事は十分可能である。
また、前記サポートショーツ２の後身頃縫合部Ａ１１と前記生理用ショーツ１との接合方法を、縫合せずに面ファスナー２５での接合方法とすれば、使用時の着脱が自由になり洗浄も楽になる。しかも、前記生理用ショーツ１単体のみでの使用が可能となるので、生理日の状態に合わせて使い分けができる利便性がある。
いずれにしても、このサポートショーツ２の作成は製造面が簡便であり、最終工程で縫合作業のみで完成するので費用面でも優れている。
そしてこの着用方法は、外観面を気にしなくて良い状況、例えば就寝時、室内での長時間の着座学習や着座労働、運動時の限定使用には極めて最適である。
【００２５】  また、前記サポートショーツ２の後身頃縫合部Ａ１１に強度のある剥離テープや再剥離テープを設ければ、都度使い捨て使用が可能になる。
【００２６】  従って以上のことから、一般に流通する生理用ショーツと前記サポートショーツ２の併用が可能となるので、このサポートショーツ２と受面ファスナーとベルト通し２４をセットとして流通させても良い。
【００２７】  図６は、前記生理用ショーツ１の肌側面の股下を跨いで、前記サポートショーツ２を着用した状態の正面側から視た参考透視図である。この使用方法は着用者の外観面での不安感が解消されるものの、快適な着用感を損なう懸念があるので、肌感覚に優しい素材で構成されることが好ましい。
さらにこの使用方法は、前記生理用ショーツ１と前記サポートショーツ２が一体使用なので、重ね穿き等に比べて使い勝手は一段と優れている。
【００２８】  生理用ナプキン等を併用の場合は、前記細帯開放口１９により経血の横漏れ防止効果が一段と高まるので、前記生理用ショーツ１の汚れ防止が図れる。
【００２９】  そして、前記サポートショーツ２の前身頃固定部の接合帯２０を細くて丸い紐状で設けて、前記生理用ショーツ１の前身頃腰帯部６のベルト通し２４を通して蝶々結びをすれば、可愛らしさも演出できる。また、引き締め具合の調整を楽にするために、接合帯２０の長さを１２センチ程度に設定しても良い。さらに、前記生理用ショーツ１の外側表面に接合帯２０を露出させたくない場合は、前記生理用ショーツ１の肌側面にベルト通し２４を設けても良い。
【００３０】  図７は、前記生理用ショーツ１の内側を股布部５から前身頃３にかけて示した参考部分展開図である。
これは、前記サポートショーツ２が前記生理用ショーツ１の肌側面から直接に生理用ナプキン等を押圧する形で使用する場合の部分的な説明である。
【００３１】  最後に、図１、図４を参照して本案の前記生理用ショーツ１と前記サポートショーツ２の関係を説明する。
一般に流通している生理用ショーツには様々な形や大きさがあり、どれが標準的な物と示すことが出来ない。また着用者の身長やヌード寸法も広範囲に亘るため、図面上では長さや幅を数字で示すことが出来ない。従って、固定的に取り付けて一体使用する前記サポートショーツ２を前記生理用ショーツ１との相対的な関係に基づいて説明する。図１に示した前記生理用ショーツ１を基本的な形とした。
【００３２】  図１のＨ１は、前記生理用ショーツの前身頃腰帯部６の最上端Ｈｙから股布部５の最下端Ｏｙまでの縦幅であり、図４のＨ１の縦幅と同一である。つまり、前記生理用ショーツの股布部５の最下端Ｏｙと前記サポートショーツの細帯区域１５の最下端が同一に設定されている。さらに図４では、Ｈ４の縦幅は、前記股下部５の縦幅と前記細帯区域１５の縦幅が同一であることを示している。そして前記サポートショーツの細帯区域１５の横幅は、前記生理用ショーツの股布部５の横幅の３／４以内で設けられ、また前記サポートショーツの後身頃縫合部Ａ１１とＢ１２の各縦幅も前記生理用ショーツの後身頃腰帯部７の縦幅と同一に設定されている。
【００３３】  以上の構成の同一性により、前記生理用ショーツ１と前記サポートショーツ２の一体使用が円滑に行われ、前記生理用ショーツ１のたるみやねじれによるアウターへの響きを最小限に抑えることができる。
【符号の説明】
【００３４】１    生理用ショーツ
２    サポートショーツ
３    生理用ショーツの前身頃
４    生理用ショーツの後身頃
５    生理用ショーツの股布部
６    生理用ショーツの前身頃腰帯部
７    生理用ショーツの後身頃腰帯部
８    サポートショーツの後身頃縫合部
９    サポートショーツの前身頃固定部
１０  サポートショーツの跨ぎ部
１１  サポートショーツの後身頃縫合部Ａ
１２  サポートショーツの後身頃縫合部Ｂ
１３  サポートショーツのお尻まわり区域
１４  サポートショーツの持上げ区域
１５  サポートショーツの細帯区域
１６  生理用ショーツの股布部後端
１７  生理用ショーツの股布部前端
１８  サポートショーツの細帯開始位置
１９  サポートショーツの細帯開放口
２０  サポートショーツの接合帯
２１  サポートショーツの細帯終止位置
２２  サポートショーツの持上げ区域終止位置
２３  サポートショーツの跨ぎ部開始位置線
２４  生理用ショーツの前身頃腰帯部のベルト通し
２５  サポートショーツの接合帯に設けられた面ファスナー
２６  サポートショーツの後身頃縫合部ＡとＢの境界線
２７  サポートショーツの後身頃縫合部Ａの上辺縁
２８  生理用ショーツの後身頃腰帯部の下辺縁
Ｈｙ  生理用ショーツの前身頃腰帯部の最上端
Ｏｙ  生理用ショーツの股布部の最下端
【図１】
2022000201.tif 000003
【図２】
2022000201.tif 000004
【図３】
2022000201.tif 000005
【図４】
2022000201.tif 000006
【図５】
2022000201.tif 000007
【図６】
2022000201.tif 000008
【図７】
2022000201.tif 000009